(57)【要約】【課題】保護動作の要否を適切に判定するための回路構成が簡単で、回路損失が小さい放電灯点灯装置を提供する。【解決手段】放電灯点灯装置１０１において、放電灯ＦＬのランプ電圧に対応する検出電圧を出力する検出回路１３１が、当該検出電圧を、正側の電圧と負側の電圧とで異なる比率で分圧して出力する。そして、制御回路１４０が、検出回路１３１から出力された検出電圧の正側の電圧及び負側の電圧を、予め定められた正側の保護電圧Ｖｔｈ１及び負側の保護電圧Ｖｔｈ２と比較し、比較結果に応じてインバータ回路１３０の発振動作を制御する。【選択図】図２
2013239389.tif 000002
【特許請求の範囲】
【請求項１】
インバータ回路の発振動作により高周波電力を生成し、生成した高周波電力を放電灯に供給して前記放電灯を点灯させる放電灯点灯装置において、
前記放電灯のランプ電圧に対応する電圧を検出し、検出電圧として出力する検出回路であって、当該検出電圧を、正側の電圧と負側の電圧とで異なる比率で分圧して出力する検出回路と、
前記検出回路から出力された検出電圧の正側の電圧及び負側の電圧を、予め定められた正側の保護電圧及び負側の保護電圧と比較し、比較結果に応じて前記インバータ回路の発振動作を制御する制御回路と
を備えることを特徴とする放電灯点灯装置。
【請求項２】
前記制御回路は、前記検出回路から出力された検出電圧の正側の電圧が前記正側の保護電圧より高い場合、及び、前記検出回路から出力された検出電圧の負側の電圧が負側の保護電圧より高い場合に、前記インバータ回路の発振動作を停止することを特徴とする請求項１の放電灯点灯装置。
【請求項３】
前記制御回路は、前記放電灯の調光率を指令する調光信号を入力し、前記検出回路から出力された検出電圧の正側の電圧が前記正側の保護電圧以下であり、かつ、前記検出回路から出力された検出電圧の負側の電圧が前記負側の保護電圧以下である場合に、前記インバータ回路を発振動作させることを特徴とする請求項２の放電灯点灯装置。
【請求項４】
前記検出回路は、スローリークが発生した状態であって所定の調光率で調光されている状態における前記放電灯のランプ電圧に対応する検出電圧の負側の電圧が前記負側の保護電圧より高くなり、かつ、正常な状態であって全光点灯している状態における前記放電灯のランプ電圧に対応する検出電圧の負側の電圧が前記負側の保護電圧以下になるように、前記負側の電圧を分圧することを特徴とする請求項３の放電灯点灯装置。
【請求項５】
前記検出回路は、寿命末期の状態であって全光点灯している状態における前記放電灯のランプ電圧に対応する検出電圧の正側の電圧が前記正側の保護電圧より高くなり、かつ、正常な状態であって所定の調光率で調光されている状態における前記放電灯のランプ電圧に対応する検出電圧の正側の電圧が前記正側の保護電圧以下になるように、前記正側の電圧を分圧することを特徴とする請求項３又は４の放電灯点灯装置。
【請求項６】
請求項１から５のいずれかの放電灯点灯装置と、
前記放電灯点灯装置から供給される高周波電力により点灯する放電灯と
を備えることを特徴とする照明装置。
【発明の詳細な説明】
【技術分野】
【０００１】
本発明は、放電灯点灯装置及び照明装置に関するものである。
【背景技術】
【０００２】
調光器の送信する調光信号に基づきインバータ回路を制御することによって、放電灯を調光点灯させる放電灯点灯装置において、検出回路が、点灯中の放電灯の電圧に対応する電圧を検出して制御回路に出力し、制御回路が、検出回路から出力された電圧が予め設定した保護電圧よりも高いとき、インバータ回路の発振を停止させる、というものがある（例えば、特許文献１参照）。この放電灯点灯装置では、「ランプを減光させた状態」を「寿命末期の状態」と誤判定することを防止するために、制御回路が、調光信号に応じた調光指令値電圧（変化指令信号）を生成し、検出回路が、この調光指令値電圧に応じて、検出した電圧の出力特性を変化させる。
【先行技術文献】
【特許文献】
【０００３】
【特許文献１】特開２０１１−９０７９０号公報
【発明の概要】
【発明が解決しようとする課題】
【０００４】
従来の放電灯点灯装置では、制御回路に、調光器からの調光信号を受信し、調光指令値電圧を生成する回路が必要であり、検出回路に、調光指令値電圧を入力する回路が必要である等、回路構成が複雑で、回路損失が大きくなる、という課題があった。
【０００５】
本発明は、例えば、保護動作の要否を適切に判定するための回路構成が簡単で、回路損失が小さい放電灯点灯装置を提供することを目的とする。
【課題を解決するための手段】
【０００６】
本発明の一の態様に係る放電灯点灯装置は、
インバータ回路の発振動作により高周波電力を生成し、生成した高周波電力を放電灯に供給して前記放電灯を点灯させる放電灯点灯装置であり、
前記放電灯のランプ電圧に対応する電圧を検出し、検出電圧として出力する検出回路であって、当該検出電圧を、正側の電圧と負側の電圧とで異なる比率で分圧して出力する検出回路と、
前記検出回路から出力された検出電圧の正側の電圧及び負側の電圧を、予め定められた正側の保護電圧及び負側の保護電圧と比較し、比較結果に応じて前記インバータ回路の発振動作を制御する制御回路とを備えることを特徴とする。
【発明の効果】
【０００７】
本発明の一の態様に係る放電灯点灯装置では、放電灯のランプ電圧に対応する検出電圧を出力する検出回路が、当該検出電圧を、正側の電圧と負側の電圧とで異なる比率で分圧して出力する。そして、制御回路が、検出回路から出力された検出電圧の正側の電圧及び負側の電圧を、予め定められた正側の保護電圧及び負側の保護電圧と比較し、比較結果に応じてインバータ回路の発振動作を制御する。このため、本発明の一の態様によれば、保護動作の要否を適切に判定するための回路構成が簡単になり、回路損失も小さくなる。
【図面の簡単な説明】
【０００８】
【図１】実施の形態１に係る照明システムの構成を示すブロック図。
【図２】実施の形態１に係る放電灯点灯装置の構成を示す回路図。
【図３】比較例１に係る検出回路の構成を示す回路図。
【図４】比較例２に係る検出回路の構成を示す回路図。
【図５】実施の形態１に係る検出回路の構成例を示す回路図。
【図６】比較例１，２及び実施の形態１に係る検出回路のＤ端子の電圧波形を示す図。
【発明を実施するための形態】
【０００９】
以下、本発明の実施の形態について、図を用いて説明する。
【００１０】
実施の形態１．
図１は、本実施の形態に係る照明システム１００の構成を示すブロック図である。
【００１１】
図１において、照明システム１００は、調光信号を送信する調光器２００と、信号線を介して調光器２００から調光信号を受信する複数の照明装置１０１ａ，１０１ｂ，・・・，１０１ｎとを備えている。各照明装置は、放電灯ＦＬ（ランプ）と、以下に説明する放電灯点灯装置１０１とを備えている。
【００１２】
図２は、放電灯点灯装置１０１の構成を示す回路図である。
【００１３】
図２において、放電灯点灯装置１０１は、調光器２００から、放電灯ＦＬの調光率を指令する調光信号を受信し、受信した調光信号に基づきインバータ回路１３０を制御することによって、放電灯ＦＬを調光点灯させる。具体的には、放電灯点灯装置１０１は、インバータ回路１３０の発振動作により高周波電力を生成し、生成した高周波電力を放電灯ＦＬに供給する。このとき、調光信号により指令される調光率に合わせて、インバータ回路１３０の発振周波数が制御される。放電灯ＦＬは、放電灯点灯装置１０１から供給される高周波電力により点灯する。
【００１４】
放電灯点灯装置１０１は、検出回路１３１（電圧生成部）と、制御回路１４０（インバータ制御部）とを備えている。検出回路１３１は、放電灯ＦＬのランプ電圧に対応する電圧を検出し、検出電圧として出力する。このとき、検出回路１３１は、当該検出電圧を、正側の電圧と負側の電圧とで異なる比率で分圧して出力する。制御回路１４０は、検出回路１３１から出力された検出電圧の正側の電圧及び負側の電圧を、予め定められた正側の保護電圧Ｖｔｈ１及び負側の保護電圧Ｖｔｈ２と比較し、比較結果に応じてインバータ回路１３０の発振動作を制御する。
【００１５】
具体的には、検出回路１３１は、寿命末期の状態であって全光点灯している状態における放電灯ＦＬのランプ電圧に対応する検出電圧の正側の電圧が正側の保護電圧Ｖｔｈ１より高くなり、かつ、正常な状態（スローリーク等の不具合が発生しておらず、寿命末期でもない状態）であって所定の調光率で調光されている状態における放電灯ＦＬのランプ電圧に対応する検出電圧の正側の電圧が正側の保護電圧Ｖｔｈ１以下になるように、正側の電圧を設定（分圧）する。
【００１６】
また、検出回路１３１は、スローリークが発生した状態であって所定の調光率で調光されている状態における放電灯ＦＬのランプ電圧に対応する検出電圧の負側の電圧が負側の保護電圧Ｖｔｈ２より高くなり、かつ、正常な状態であって全光点灯している状態における放電灯ＦＬのランプ電圧に対応する検出電圧の負側の電圧が負側の保護電圧Ｖｔｈ２以下になるように、負側の電圧を設定（分圧）する。
【００１７】
制御回路１４０は、検出回路１３１から出力された検出電圧の正側の電圧が正側の保護電圧Ｖｔｈ１より高い場合に、インバータ回路１３０の発振動作を停止する。また、制御回路１４０は、検出回路１３１から出力された検出電圧の負側の電圧が負側の保護電圧Ｖｔｈ２より高い場合にも、インバータ回路１３０の発振動作を停止する。即ち、制御回路１４０は、検出回路１３１から出力された検出電圧の正側の電圧が正側の保護電圧Ｖｔｈ１より高い場合、及び、検出回路１３１から出力された検出電圧の負側の電圧が負側の保護電圧Ｖｔｈ２より高い場合に、保護動作を行う。
【００１８】
また、制御回路１４０は、検出回路１３１から出力された検出電圧の正側の電圧が正側の保護電圧Ｖｔｈ１以下であり、かつ、検出回路１３１から出力された検出電圧の負側の電圧が負側の保護電圧Ｖｔｈ２以下である場合に、調光器２００から入力した調光信号に応じてインバータ回路１３０の発振周波数を制御する。
【００１９】
放電灯点灯装置１０１は、前述したインバータ回路１３０と制御回路１４０とのほかに、ノイズフィルタ１１０と、整流器ＤＢと、昇圧チョッパ回路１２０とを備えている。ノイズフィルタ１１０は、コンデンサＣＮとコモンモードチョークＬ３とで構成され、ノイズ除去用に交流電源Ｖａｃと整流器ＤＢとの間に接続されている。整流器ＤＢは、交流電源Ｖａｃからノイズフィルタ１１０を介して供給される交流電力を全波整流するダイオードブリッジからなる。昇圧チョッパ回路１２０は、整流器ＤＢの直流出力端間に接続され、整流器ＤＢの出力を所定の直流出力に変換する。インバータ回路１３０は、昇圧チョッパ回路１２０の直流出力を高周波電力に変換して放電灯ＦＬに供給することにより放電灯ＦＬを高周波で点灯させる。インバータ回路１３０は、前述した検出回路１３１を備えている。制御回路１４０は、例えばマイコンであり、昇圧チョッパ回路１２０や、検出回路１３１を含むインバータ回路１３０を制御する。
【００２０】
以下、昇圧チョッパ回路１２０について説明する。
【００２１】
昇圧チョッパ回路１２０は、一端が整流器ＤＢの高電位側に接続されるインダクタＬ２と、このインダクタＬ２の他端に接続されるスイッチング素子Ｑ３（例えばＭＯＳＦＥＴ）と、アノード端子がスイッチング素子Ｑ３とインダクタＬ２との接続点に接続されるダイオードＤ１と、このダイオードＤ１のカソード端子に正極が接続され、整流器ＤＢの低電位側に負極が接続される平滑コンデンサＣ１と、この平滑コンデンサＣ１に並列に接続される電圧検出回路１２１とを備えている。
【００２２】
スイッチング素子Ｑ３は、制御回路１４０により交流電源Ｖａｃの電源周波数よりも十分に高い周波数（例えば数百ｋＨｚ）でオンオフされる。
【００２３】
昇圧チョッパ回路１２０では、スイッチング素子Ｑ３をオンオフさせると、スイッチング素子Ｑ３のオン期間にインダクタＬ２に蓄積されたエネルギーが、スイッチング素子Ｑ３のオフ期間にダイオードＤ１を介して放出される。そして、整流器ＤＢの出力にインダクタＬ２から放出されるエネルギーが重畳される形で平滑コンデンサＣ１が充電されるため、平滑コンデンサＣ１の両端電圧を整流器ＤＢの出力電圧よりも昇圧することができる。
【００２４】
電圧検出回路１２１は、直列接続される抵抗Ｒ１，Ｒ２を備える。この電圧検出回路１２１では、平滑コンデンサＣ１の両端電圧が抵抗Ｒ１，Ｒ２により分圧され、抵抗Ｒ２の両端電圧が制御回路１４０に入力されるようになっている。抵抗Ｒ２の両端電圧が入力された制御回路１４０は、電圧検出回路１２１の出力（抵抗Ｒ２の両端電圧）に基づいて、平滑コンデンサＣ１の両端電圧が一定化されるようにスイッチング素子Ｑ３をオンオフする。
【００２５】
以下、インバータ回路１３０について説明する。
【００２６】
ハーフブリッジ型のインバータ回路１３０では、スイッチング素子Ｑ１，Ｑ２（例えばＭＯＳＦＥＴ）と検出回路１３１との直列回路が、昇圧チョッパ回路１２０の出力端である平滑コンデンサＣ１の両端間に接続されている。スイッチング素子Ｑ２の両端間には、限流素子であるバラストチョークＬ１と、放電灯ＦＬと、直流カット用コンデンサＣ３との直列回路が接続されている。放電灯ＦＬの両端間には、始動用コンデンサＣ２が接続されている。スイッチング素子Ｑ１，Ｑ２は、制御回路１４０に接続されており、この制御回路１４０により、数十ｋＨｚの高い周波数で、交互にオンオフされる。
【００２７】
制御回路１４０がスイッチング素子Ｑ１をオンにしたときには、平滑コンデンサＣ１→スイッチング素子Ｑ１→バラストチョークＬ１→放電灯ＦＬ及び始動用コンデンサＣ２→直流カット用コンデンサＣ３→平滑コンデンサＣ１を通る経路で電流が流れる。一方、制御回路１４０がスイッチング素子Ｑ２をオンにしたときには、直流カット用コンデンサＣ３を電源として、直流カット用コンデンサＣ３→放電灯ＦＬ及び始動用コンデンサＣ２→バラストチョークＬ１→スイッチング素子Ｑ２→直流カット用コンデンサＣ３を通る経路で電流が流れる。両経路で交互に電流が流れることにより、インバータ回路１３０から、放電灯ＦＬに高周波電力が供給される。
【００２８】
以下、制御回路１４０について説明する。
【００２９】
制御回路１４０には、調光器２００からの調光信号が入力される。制御回路１４０は、この調光信号に基づいて、放電灯ＦＬの光出力が調節できるようにスイッチング素子Ｑ１，Ｑ２の動作周波数を変化させる。また、制御回路１４０は、検出回路１３１から出力される電圧を入力し、この電圧が予め設定された保護電圧よりも高いとき、インバータ回路１３０の発振を停止させる。
【００３０】
以下、インバータ回路１３０の検出回路１３１について説明する。
【００３１】
本実施の形態に係る検出回路１３１について説明する前に、比較例１に係る検出回路１３１ａ、比較例２に係る検出回路１３１ｂについて説明する。比較例１，２に係る検出回路１３１ａ，１３１ｂは、本実施の形態に係る検出回路１３１の代わりに、図２に示した放電灯点灯装置１０１に組み込むことができる。
【００３２】
図３は、比較例１に係る検出回路１３１ａの構成を示す回路図である。
【００３３】
図３において、検出回路１３１ａは、スイッチング素子Ｑ２のソース端子に接続されるＡ端子と、整流器ＤＢの低電位側（グランド）に接続されるＢ端子と、制御回路１４０に接続され、生成した電圧を制御回路１４０に出力するＤ端子とを備える。比較例１において、図２に示したＣ端子は不要である。
【００３４】
検出回路１３１ａは、一端がＡ端子に接続され、他端がＢ端子に接続される抵抗Ｒ３と、この抵抗Ｒ３に並列に接続される抵抗Ｒ４，Ｒ５と、抵抗Ｒ５に並列に接続されるコンデンサＣ４とを備える。
【００３５】
検出回路１３１ａは、スイッチング素子Ｑ２に流れる電流に相当する電圧（抵抗Ｒ３に電流が流れて発生する電圧）を抵抗Ｒ４，Ｒ５により分圧し、分圧した電圧を制御回路１４０に出力する。抵抗Ｒ５に並列に接続されているコンデンサＣ４は、ノイズ除去用のコンデンサである。
【００３６】
制御回路１４０は、抵抗Ｒ４，Ｒ５で分圧された電圧が保護電圧を超えているか判定する。比較例１では、放電灯ＦＬの全光点灯時に抵抗Ｒ４，Ｒ５で分圧された電圧が保護電圧を超えないように、抵抗Ｒ３，Ｒ４，Ｒ５を選定すると、調光器２００からの調光信号によってインバータ回路１３０の出力が変化しても保護電圧は変わらず、放電灯ＦＬが調光されたときに抵抗Ｒ４，Ｒ５で分圧された電圧（検出回路１３１ａのＤ端子から出力された検出電圧）の正側の電圧が保護電圧Ｖｔｈ１を超えてしまう（後述する図６のＮｏ．１参照）ため、制御回路１４０が保護動作をする。また、放電灯ＦＬの調光時に抵抗Ｒ４，Ｒ５で分圧された電圧が保護電圧を超えないように、抵抗Ｒ３，Ｒ４，Ｒ５を選定すると、放電灯ＦＬが全光点灯したときに、抵抗Ｒ４、Ｒ５で分圧された電圧が保護電圧Ｖｔｈ２を超えてしまう（後述する図６のＮｏ．２参照）ため、同じく制御回路１４０が保護動作をする。
【００３７】
このように、比較例１には、保護動作の要否の誤判定が起こる、という課題がある。
【００３８】
図４は、比較例２に係る検出回路１３１ｂの構成を示す回路図である。なお、図４に示した回路構成は、特許文献１の図３に示された回路構成と同様である。
【００３９】
図４において、検出回路１３１ｂは、比較例１に係る検出回路１３１ａと同様のＡ端子、Ｂ端子、Ｄ端子に加えて、制御回路１４０に接続され、制御回路１４０からの調光指令値電圧が入力されるＣ端子を備える。比較例２では、比較例１や本実施の形態と異なり、制御回路１４０が、調光信号に応じた調光指令値電圧を検出回路１３１ｂに出力する。
【００４０】
検出回路１３１ｂは、比較例１に係る検出回路１３１ａと同様の抵抗Ｒ３，Ｒ４，Ｒ５及びコンデンサＣ４に加えて、一端が抵抗Ｒ４，Ｒ５の接続点に接続される抵抗Ｒ６と、抵抗Ｒ６の他端にコレクタ端子が接続されるトランジスタＱ４と、このトランジスタＱ４のベース端子及びエミッタ端子間に接続される抵抗Ｒ７と、一端がトランジスタＱ４のベース端子に接続され、他端がＣ端子に接続される抵抗Ｒ８と、一端がＣ端子に接続され、他端がＢ端子に接続されるコンデンサＣ５とを備える。
【００４１】
コンデンサＣ５は、制御回路１４０から出力される調光指令値電圧（Ｃ端子）のノイズ成分を除去するためのコンデンサである。抵抗Ｒ７，Ｒ８は、調光指令値電圧を分圧する抵抗である。
【００４２】
比較例１に係る検出回路１３１ａと同様に、抵抗Ｒ３は、インバータ回路１３０のスイッチング素子Ｑ２のソース端子（Ａ端子）とグランド（Ｂ端子）との間に接続され、インバータ回路１３０の電流を電圧に変換する。インバータ回路１３０の電圧を分圧する抵抗Ｒ４，Ｒ５の直列回路は、抵抗Ｒ３と並列に接続されている。抵抗Ｒ５の両端には、ノイズ除去用のコンデンサＣ４が接続されている。
【００４３】
調光指令値電圧に応じて検出電圧の出力特性を変化させるスイッチとして用いられるトランジスタＱ４のベース端子は、抵抗Ｒ７，Ｒ８間に接続されている。トランジスタＱ４のエミッタ端子は、グランドに接続されている。トランジスタＱ４のコレクタ端子は、抵抗Ｒ６の一端と接続される。抵抗Ｒ６の他端は、抵抗Ｒ４，Ｒ５とノイズ除去用のコンデンサＣ４との接続点に接続されている。
【００４４】
抵抗Ｒ３に加わる電圧の最大値は、放電灯ＦＬの全光点灯時よりも調光時の方が高くなる。これは、放電灯ＦＬが負性抵抗特性をもつことに起因する。調光時（例えば２５％調光時）は、全光点灯時よりもランプ電流は小さく、ランプ電圧は高くなる。放電灯ＦＬの放電を維持させるための電圧を得るために、調光時は全光点灯時よりも放電灯ＦＬと並列に接続されている始動用コンデンサＣ２に大きな無効電流が流れる。このため、抵抗Ｒ３に流れる電流が大きくなり、抵抗Ｒ３に発生する電圧の最大値が大きくなる。
【００４５】
以下の説明では、例として、全光点灯（１００％点灯）と２５％調光という２段階の調光を想定する。
【００４６】
調光器２００から全光点灯を指令する調光信号（１００％調光度の信号）が出力された場合、制御回路１４０は、Ｌレベルの調光指令値電圧を生成し、検出回路１３１ｂのＣ端子に出力する。検出回路１３１ｂでは、このＬレベルの調光指令値電圧が入力されると、トランジスタＱ４がオフとなり、抵抗Ｒ４，Ｒ５の分圧比によって、Ｄ端子から出力される電圧が決定される。
【００４７】
一方、調光器２００から２５％調光を指令する調光信号（２５％調光度の信号）が出力された場合、制御回路１４０は、Ｈレベルの調光指令値電圧（変化指令信号）を生成し、検出回路１３１ｂのＣ端子に出力する。このように、比較例２では、制御回路１４０が、調光器２００から特定の調光信号（２５％調光度の信号）を受信した場合にのみ、変化指令信号を出力する。この変化指令信号がＣ端子から入力された検出回路１３１ｂでは、トランジスタＱ４がオンとなり、抵抗Ｒ５，Ｒ６が並列接続となる。したがって、抵抗Ｒ４と抵抗Ｒ５，Ｒ６の並列接続抵抗との分圧比によって、Ｄ端子から出力される電圧が決定される。抵抗Ｒ６の抵抗値は、２５％調光時にＤ端子から出力される検出電圧が全光点灯時にＤ端子から出力される検出電圧と略同じになるように選定される。
【００４８】
制御回路１４０は、検出回路１３１ｂから出力された検出電圧の正側の電圧が予め設定されている保護電圧Ｖｔｈ１より高い場合に、放電灯ＦＬが寿命末期であると判断する。また、制御回路１４０は、検出回路１３１ｂから出力された検出電圧の負側の電圧が予め設定されている保護電圧Ｖｔｈ２より低い場合に、スローリークにより放電灯ＦＬに空気が侵入する不具合等が発生したと判断する。いずれの場合も、制御回路１４０は、インバータ回路１３０のスイッチング素子Ｑ１，Ｑ２のスイッチングを停止する。これ以降、制御回路１４０は、交流電源Ｖａｃが遮断されるまで、あるいは、放電灯ＦＬが交換されるまで、スイッチング素子Ｑ１，Ｑ２のスイッチングを停止し続ける。
【００４９】
このように、比較例２では、制御回路１４０が、外部（調光器２００）からの調光信号に応じた調光指令値電圧を検出回路１３１ｂに出力し、全光点灯時と調光時で、検出回路１３１ｂから出力される検出電圧を略同じにすることができる。これにより、「ランプを減光させた状態」を「寿命末期の状態」と誤判定することや、「ランプを全光点灯させた状態」を「スローリークによりランプに空気が侵入する不具合等の発生した状態」と誤判定することを防止できる。しかし、比較例２には、検出回路１３１ｂに調光指令値電圧受信回路が必要である等、回路構成が複雑で、回路損失が大きくなる、という課題がある。
【００５０】
図５は、本実施の形態に係る検出回路１３１の構成例を示す回路図である。
【００５１】
図５において、検出回路１３１は、比較例１に係る検出回路１３１ａと同様に、スイッチング素子Ｑ２のソース端子に接続されるＡ端子と、整流器ＤＢの低電位側（グランド）に接続されるＢ端子と、制御回路１４０に接続され、生成した電圧を制御回路１４０に出力するＤ端子とを備える。本実施の形態においても、図２に示したＣ端子は不要である。
【００５２】
検出回路１３１は、一端がＡ端子に接続され、他端がＢ端子に接続される抵抗Ｒ３と、この抵抗Ｒ３に並列に接続される抵抗Ｒ４，Ｒ５と、アノード端子が抵抗Ｒ４，Ｒ５の接続点に接続され、カソード端子がＤ端子に接続されるダイオードＤ２ａと、アノード端子がＤ端子に接続され、カソード端子が抵抗Ｒ３，Ｒ４の接続点に接続されるダイオードＤ２ｂとを備える。
【００５３】
検出回路１３１は、抵抗Ｒ３に電流が流れて発生する電圧の正側の電圧を抵抗Ｒ４，Ｒ５により分圧し、分圧した電圧を制御回路１４０に出力する。一方、検出回路１３１は、抵抗Ｒ３に電流が流れて発生する電圧の負側の電圧は分圧せずに制御回路１４０に出力する。このように、本実施の形態において、検出回路１３１は、検出電圧の負側の電圧を分圧せず、検出電圧の正側の電圧のみを分圧する。
【００５４】
Ｄ端子から出力される検出電圧の負側の電圧は、放電灯ＦＬの全光点灯時の方が調光時よりも高い。これは、全光点灯時の方が抵抗Ｒ３に発生する電圧の振幅が小さいためである。一方、Ｄ端子から出力される検出電圧の正側の電圧は、放電灯ＦＬの調光時の方が全光点灯時よりも高い。これは、調光時の方が抵抗Ｒ３に発生する電圧の振幅が大きいためである。よって、抵抗Ｒ３，Ｒ４，Ｒ５の抵抗値は、全光点灯時にＤ端子から出力される電圧の負側の電圧が保護電圧Ｖｔｈ２より高くならず、かつ、２５％（所定の調光率の例）調光時にＤ端子から出力される電圧の正側の電圧が保護電圧Ｖｔｈ１より高くならないように選定される。例えば、抵抗Ｒ３の抵抗値を、全光点灯時にＤ端子から出力される電圧の負側の電圧が保護電圧Ｖｔｈ２より高くならないように選定してから、抵抗Ｒ４，Ｒ５の抵抗値を、２５％調光時にＤ端子から出力される電圧の正側の電圧が保護電圧Ｖｔｈ１より高くならないように選定する、といった方法をとることができる。
【００５５】
制御回路１４０は、検出回路１３１から出力された検出電圧の正側の電圧が予め設定されている保護電圧Ｖｔｈ１より高い場合に、放電灯ＦＬが寿命末期であると判断する。また、制御回路１４０は、検出回路１３１から出力された検出電圧の負側の電圧が予め設定されている保護電圧Ｖｔｈ２より高い場合に、スローリークにより放電灯ＦＬに空気が侵入する不具合等が発生したと判断する。いずれの場合も、制御回路１４０は、インバータ回路１３０のスイッチング素子Ｑ１，Ｑ２のスイッチングを停止する。これ以降、制御回路１４０は、交流電源Ｖａｃが遮断されるまで、あるいは、放電灯ＦＬが交換されるまで、スイッチング素子Ｑ１，Ｑ２のスイッチングを停止し続ける。
【００５６】
図６は、比較例１に係る検出回路１３１ａ、比較例２に係る検出回路１３１ｂ、本実施の形態に係る検出回路１３１のＤ端子の電圧波形を示す図である。
【００５７】
以下、図６を用いて、検出回路１３１ａ，１３１ｂ，１３１のＤ端子から出力される検出電圧の全光点灯（１００％点灯）時と２５％調光時における違いを説明する。
【００５８】
Ｎｏ．１は、放電灯ＦＬの全光点灯時に制御回路１４０が保護動作をしないように、抵抗Ｒ３，Ｒ４，Ｒ５を選定した場合における、比較例１に係る検出回路１３１ａのＤ端子の電圧波形である。Ｎｏ．１では、放電灯ＦＬを全光点灯させた状態でのみ、「寿命末期の状態」や「スローリークによりランプに空気が侵入する不具合等の発生した状態」の誤判定を防止することができる。放電灯ＦＬを２５％調光したときは、放電灯ＦＬが正常であっても、Ｄ端子から出力される検出電圧の正側の電圧が「寿命末期の状態」を示す保護電圧Ｖｔｈ１より高くなってしまう。
【００５９】
Ｎｏ．２は、放電灯ＦＬの２５％調光時に制御回路１４０が保護動作をしないように、抵抗Ｒ３，Ｒ４，Ｒ５を選定した場合における、比較例１に係る検出回路１３１ａのＤ端子の電圧波形である。Ｎｏ．２では、放電灯ＦＬを２５％調光した状態でのみ、「寿命末期の状態」や「スローリークによりランプに空気が侵入する不具合等の発生した状態」の誤判定を防止することができる。放電灯ＦＬを全光点灯させたときは、放電灯ＦＬが正常であっても、Ｄ端子から出力される検出電圧の負側の電圧が「スローリークによりランプに空気が侵入する不具合等の発生した状態」を示す保護電圧Ｖｔｈ２より高くなってしまう。
【００６０】
Ｎｏ．３は、比較例２に係る検出回路１３１ｂのＤ端子の電圧波形である。Ｎｏ．３では、放電灯ＦＬを全光点灯させた状態と２５％調光した状態との両方におけるＤ端子から出力される検出電圧が略同じになっている。しかし、前述したように、調光信号に応じて検出電圧の出力特性を変化させるための回路構成が必要となるため、回路構成が複雑になり、回路損失が大きくなる、という課題がある。
【００６１】
Ｎｏ．４は、本実施の形態に係る検出回路１３１のＤ端子の電圧波形である。Ｎｏ．４では、Ｄ端子から出力される検出電圧の正側の電圧がＮｏ．２と略同じになり、Ｄ端子から出力される検出電圧の負側の電圧がＮｏ．１と略同じになるように、抵抗Ｒ３，Ｒ４，Ｒ５を選定している。よって、放電灯ＦＬを全光点灯させた状態と放電灯ＦＬを２５％調光した状態との両方で、「寿命末期の状態」や「スローリークによりランプに空気が侵入する不具合等の発生した状態」の誤判定を防止することができる。また、Ｎｏ．３のような調光信号に応じて検出電圧の出力特性を変化させるための回路構成が不要となるため、回路構成が簡単になり、回路損失を小さくすることができる。
【００６２】
以上のように、本実施の形態によれば、点灯中の放電灯ＦＬの電圧に対応する検出電圧の正側の電圧と負側の電圧とを、異なる比率で分圧して出力することで、調光器２００からの調光信号に応じて検出電圧の出力特性を変化させなくとも、「ランプを減光させた状態」を「寿命末期の状態」と誤判定することや、「ランプを全光点灯させた状態」を「スローリークによりランプに空気が侵入する不具合等の発生した状態」と誤判定することを防止できる。また、調光器２００からの調光信号に応じて検出電圧の出力特性を変化させる技術よりも、回路構成が簡単になり、回路損失を小さくすることができる。
【００６３】
以上、全光点灯（１００％点灯）と２５％調光の２段階の調光を想定して本実施の形態を説明したが、これは例である。例えば、全光点灯（１００％点灯）、８０％調光、６０％調光、４０％調光、２０％調光という５段階の調光を想定したとき、図５に示した抵抗Ｒ３，Ｒ４，Ｒ５の抵抗値を、全光点灯時に検出電圧の負側の電圧が保護電圧Ｖｔｈ２より高くならず、かつ、２０％（所定の調光率の例）調光時に検出電圧の正側の電圧が保護電圧Ｖｔｈ１より高くならないように選定してもよい。このように、Ｎ段階の調光を想定したとき、図５に示した抵抗Ｒ３，Ｒ４，Ｒ５の抵抗値を、全光点灯時に検出電圧の負側の電圧が保護電圧Ｖｔｈ２より高くならず、かつ、最低調光率（所定の調光率の例）での調光時に検出電圧の正側の電圧が保護電圧Ｖｔｈ１より高くならないように選定すればよい。
【００６４】
また、調光信号を使用しない、電気特性の異なる複数の放電灯に使用する非調光タイプの放電灯点灯装置にも、本実施の形態を適用することが可能である。
【００６５】
以上、本発明の実施の形態について説明したが、本発明は、この実施の形態に限定されるものではなく、必要に応じて種々の変更が可能である。
【符号の説明】
【００６６】
１００  照明システム、１０１  放電灯点灯装置、１０１ａ，１０１ｂ，１０１ｎ  照明装置、１１０  ノイズフィルタ、１２０  昇圧チョッパ回路、１２１  電圧検出回路、１３０  インバータ回路、１３１，１３１ａ，１３１ｂ  検出回路、１４０  制御回路、２００  調光器、Ｃ１  平滑コンデンサ、Ｃ２  始動用コンデンサ、Ｃ３  直流カット用コンデンサ、Ｃ４，Ｃ５，ＣＮ  コンデンサ、Ｄ１，Ｄ２ａ，Ｄ２ｂ  ダイオード、ＤＢ
整流器、ＦＬ  放電灯、Ｌ１  バラストチョーク、Ｌ２  インダクタ、Ｌ３  コモンモードチョーク、Ｑ１，Ｑ２，Ｑ３  スイッチング素子、Ｑ４  トランジスタ、Ｒ１，Ｒ２，Ｒ３，Ｒ４，Ｒ５，Ｒ６，Ｒ７，Ｒ８  抵抗、Ｖａｃ  交流電源。
【図１】
2013239389.tif 000003
【図２】
2013239389.tif 000004
【図３】
2013239389.tif 000005
【図４】
2013239389.tif 000006
【図５】
2013239389.tif 000007
【図６】
2013239389.tif 000008